(57)【特許請求の範囲】
【請求項１】
医療機器の呼吸回路に配置されて使用される呼吸回路用ウォータトラップであって、
前記呼吸回路に接続し、前記呼吸回路の不要水を排出する止水弁付きコネクタと、
前記止水弁付きコネクタの前記不要水の排水側を密栓し、排出された不要水を貯留する貯水カップと、を有し、
前記貯水カップは、
貯留した前記不要水を外部へ排出する排水口と、
前記不要水を利用して前記排水口に対する封水を行う封水部と、を有し、
前記封水部は、
前記貯水カップが前記止水弁付きコネクタを密栓した状態において、椀部が固定される椀トラップである、
呼吸回路用ウォータトラップ。
【請求項２】
前記椀部は、
少なくとも前記貯水カップが前記止水弁付きコネクタを密栓した状態において、その外側上面が前記止水弁の弁棒に当接することにより、前記呼吸回路の内部と前記貯水カップの内部とを連通させる、
請求項１記載の呼吸回路用ウォータトラップ。
【請求項３】
前記封水部は、
前記止水弁の排出側と前記排水口の外部との気圧差に対応した封水深を有する、
請求項１または２記載の呼吸回路用ウォータトラップ。
【請求項４】
前記排水口は、
所定のチューブまたは所定の栓を接続するための接続部を有する、
請求項１から３のいずれかに記載の呼吸回路用ウォータトラップ。
【請求項５】
前記貯水カップは、
前記止水弁付きコネクタに対して着脱可能な構成を有する、
請求項１から４のいずれかに記載の呼吸回路用ウォータトラップ。
【発明の詳細な説明】
【技術分野】
【０００１】
本発明は、呼吸回路用ウォータトラップに関する。
【背景技術】
【０００２】
人工呼吸器等の医療機器における呼吸回路では、患者の呼気に含まれる水蒸気の凝縮等により、不要水（復水）が発生する。この不要水を外部へ排出する装置として、呼吸回路用ウォータトラップが広く使用されている。呼吸回路用ウォータトラップの使用例としては、例えば特許文献１に記載されているように、呼気系統のチューブに設けたもの、および、例えば特許文献２に記載されているように、呼吸回路から分岐してガスセンサに接続するチューブに設けたもの、等がある。
【０００３】
呼吸回路用ウォータトラップは、一般に、主に、止水弁付きコネクタと貯水カップとから構成される。止水弁付きコネクタは、貯水カップが取り付けられているときには、止水弁を開放して呼吸回路の不要水を貯水カップへ排出する。また、止水弁付きコネクタは、貯水カップが取り外されているときには、止水弁が自動的に閉止するようになっている。
【０００４】
このような呼吸回路用ウォータトラップは、人工呼吸器の使用中に、呼吸回路の気密性を保ちつつ、呼吸回路の不要水を貯留し、貯水カップを外して排水させることができる。
【先行技術文献】
【特許文献】
【０００５】
【特許文献１】特開平６−２３０５１号公報
【特許文献２】特開平６−１３００２９号公報
【発明の概要】
【発明が解決しようとする課題】
【０００６】
しかしながら、従来の呼吸回路用ウォータトラップでは、貯水カップを取り外して排水してまた取り付けるといった作業を定期的に行わなければならない。更に、不要水が貯水カップ内で溢れて、呼吸回路へと逆流することがないように、頻繁に不要水の貯留量を確認しなければならない。すなわち、従来の呼吸回路用ウォータトラップには、看護師等の管理者の負担が大きいという課題があった。
【０００７】
本発明の目的は、管理者の負担を軽減することができる呼吸回路用ウォータトラップを提供することである。
【課題を解決するための手段】
【０００８】
本発明の呼吸回路用ウォータトラップは、医療機器の呼吸回路に配置されて使用される呼吸回路用ウォータトラップであって、前記呼吸回路に接続し、前記呼吸回路の不要水を排出する止水弁付きコネクタと、前記止水弁付きコネクタの前記不要水の排水側を密栓し、排出された不要水を貯留する貯水カップとを有し、前記貯水カップは、貯留した前記不要水を外部へ排出する排水口と、前記不要水を利用して前記排水口に対する封水を行う封水部とを有し、前記封水部は、前記貯水カップが前記止水弁付きコネクタを密栓した状態において、椀部が固定される椀トラップである。
【発明の効果】
【０００９】
本発明によれば、貯留水の排水作業や貯留量の確認作業等による管理者の負担を軽減することができる。
【図面の簡単な説明】
【００１０】
【図１】本発明の一実施の形態に係る呼吸回路用ウォータトラップが用いられる呼吸回路の構成の一例を示す図
【図２】本発明の一実施の形態に係る呼吸回路用ウォータトラップの外観を示す斜視図
【図３】本発明の一実施の形態に係る呼吸回路用ウォータトラップの第１の断面図
【図４】本発明の一実施の形態に係る呼吸回路用ウォータトラップの第２の断面図
【発明を実施するための形態】
【００１１】
以下、本発明の実施の形態について、図面を用いて詳細に説明する。
【００１２】
図１は、本実施の形態の呼吸回路用ウォータトラップが用いられる呼吸回路の構成の一例を示す図である。ここでは、人工呼吸システムに、本発明に係る呼吸回路用ウォータトラップが用いられる例を示す。
【００１３】
人工呼吸システム１００は、人工呼吸器２００、加温加湿器３００、カテーテルマウント４００、および呼吸回路用ウォータトラップ５００と、これらを接続する複数のチューブ６００から主に構成される。
【００１４】
人工呼吸器２００は、患者の人工呼吸を自動的に行うための装置であり、吸気の供給および呼気の排出を行う。加温加湿器３００は、人工呼吸器２００から吸気を導入し、加温および加湿を行ってカテーテルマウント４００へ送る。カテーテルマウント４００は、加温加湿された吸気を供給すると共に、呼気弁（図示せず）の働きにより患者の呼気を呼吸回路用ウォータトラップ５００を介して人工呼吸器２００へ送る。呼吸回路用ウォータトラップ５００は、呼気に含まれる水蒸気の凝固等により発生する不要水（復水）を貯留する。
【００１５】
図２は、呼吸回路用ウォータトラップ５００の外観を示す斜視図である。
【００１６】
呼吸回路用ウォータトラップ５００は、大別すると、止水弁付きコネクタ７００および貯水カップ８００からなる。
【００１７】
止水弁付きコネクタ７００は、図１に示したように、人工呼吸システム１００の呼吸回路のうち、呼気系統のチューブ６００に接続し、チューブ６００内の不要水を排出する。特に、図１のように呼吸回路に加温加湿器３００が配置されている場合、水蒸気の復水が多く、大量の不要水が発生することになる。
【００１８】
貯水カップ８００は、止水弁付きコネクタ７００の不要水の排水側を密栓し、排出された不要水を貯留する。また、貯水カップ８００は、貯留した不要水を外部へ排出する排水口を有すると共に、不要水を利用して排水口に対する封水を行う封水部とを有する。
【００１９】
貯水カップ８００は、止水弁付きコネクタ７００と一体的に構成されても良いが、本実施の形態では、止水弁付きコネクタ７００に対して着脱可能に構成されているものとする。貯水カップ８００は、洗浄時等には取り外され、それ以外は基本的に取り付けられたままとすることができる。
【００２０】
また、呼吸回路用ウォータトラップ５００は、外から内部の状態を視認できるように、透明プラスティック等、透過性を有することが望ましい。
【００２１】
図３は、貯水カップ８００が止水弁付きコネクタ７００に装着された状態における呼吸回路用ウォータトラップ５００の断面図である。説明の簡便化のため、不要水が貯留した状態を図示する。
【００２２】
止水弁付きコネクタ７００は、大別すると、パイプ部７１０および止水弁７２０からなる。
【００２３】
パイプ部７１０は、Ｖ字状の流路を有する短いパイプ部材であり、曲がり部分を下方に向けた状態で呼吸回路のチューブに接続されて、呼吸回路に挿入される。パイプ部７１０の曲がり部分には、不要水を排出するための穴である流路７１１が設けられている。そして、パイプ部７１０には、流路７１１に設けられる止水弁７２０を囲むように、ゴムパッキン（図示せず）が装着された筒状のカップ接続部７１２が設けられている。
【００２４】
止水弁７２０の弁体７２１は、流路７１１をパイプ部７１０の内部側から閉止するように配置されている。止水弁７２０の弁棒７２２は、パイプ部７１０の流路７１１から外へ突出している。弁棒７２２には、弁体７２１が流路７１１を塞ぐ方向に弁棒７２２に力を付勢するばね７２３が嵌め込まれている。
【００２５】
貯水カップ８００は、大別すると、カップ部８１０および封水部８２０から成る。
【００２６】
カップ部８１０の上部には、カップ接続部７１２に接続するコネクタ接続部８１１が設けられている。また、カップ部８１０の底には、止水弁付きコネクタ７００から排出されてカップ部８１０に貯留した不要水を外部へ排出する排水口８１２が設けられている。
【００２７】
排水口８１２の外側には、所定のチューブや栓を接続するための排水側接続部８１３が設けられている。排水側接続部８１３に接続されるチューブ（図示せず）他端は、例えば、大きな容器や排水シンク等に開放される。なお、ここでは、排水側接続部８１３の一例として、竹の子ニップルを図示しているが、三方活栓等、他の各種接続継手を採用することができる。
【００２８】
また、排水口８１２の内側には、パイプ状部材８１４が、排水口８１２と一体的に形成されている。
【００２９】
封水部８２０は、カップ部８１０のパイプ状部材８１４を上から覆う椀状の部材である。封水部８２０の内径は、パイプ状部材８１４の外径よりもわずかに大きく、封水部８２０の高さは、パイプ状部材８１４の上端の高さよりもわずかに高い。また、封水部８２０は、パイプ状部材８１４を覆った状態で、下端の一部にわずかな隙間を有している。これにより、カップ部８１０に貯留した不要水９００のうち、パイプ状部材８１４の高さを超える分は、排水口８１２から外部へ排出され、超えない分は、パイプ状部材８１４と封水部８２０との間を満たしてカップ部８１０の内部と外部とを遮断し、封水を行うことになる。また、パイプ状部材８１４の上端は、止水弁７２０の排出側と排水口８１２の外部との気圧差に対応した封水深が確保される高さ、つまり、通常の使用において封水が切れないような十分な高さを有しているものとする。
【００３０】
すなわち、カップ部８１０と、パイプ状部材８１４と、封水部８２０との組み合わせは、いわゆる椀トラップを構成している。これにより、呼吸回路用ウォータトラップ５００は、継続的に、貯水カップ８００の内部の空気を外部と遮断しつつ、パイプ状部材８１４の高さを超える分の不要水を外部へ排出することができる。なお、使用開始時には不要水が無いため、管理者が水を予め入れておくことが望ましい。
【００３１】
また、封水部８２０の外側上面は、止水弁７２０の弁棒７２２に当接することにより、止水弁７２０の弁体７２１を、上方に移動させ、弁座であるパイプ部７１０の内壁から離す高さとなっている。また、止水弁付きコネクタ７００のカップ接続部７１２と貯水カップ８００のコネクタ接続部８１１とは、接続された状態において、止水弁７２０のばね７２３に生じる力を超える接合力を保持するように構成されている。
【００３２】
このように、呼吸回路用ウォータトラップ５００は、貯水カップ８００が止水弁付きコネクタ７００に装着された状態では、止水弁７２０が封水部８２０によって開放される構成となっている。したがって、止水弁７２０を開放するための特別な部材を不要とすることができる。
【００３３】
図４は、貯水カップ８００が止水弁付きコネクタ７００に装着されていない状態における呼吸回路用ウォータトラップ５００の断面図であり、図３に対応するものである。
【００３４】
呼吸回路用ウォータトラップ５００は、貯水カップ８００が止水弁付きコネクタ７００に装着されていない状態では、封水部８２０が弁棒７２２を押し上げる力が無い状態となり、ばね７２３の力によって止水弁７２０が閉止される。
【００３５】
したがって、貯水カップ８００が取り外されている間も、呼吸回路用ウォータトラップ５００は、継続的に、貯水カップ８００の内部の空気を外部と遮断し、呼吸回路の気密性を保つことができる。
【００３６】
なお、封水部８２０を、弁棒７２２からの力の付勢のみによって固定される構成とした場合には、封水部８２０を固定するための特別な部材を不要とすることができ、また、貯水カップ８００の洗浄を簡単に行うことが可能となる。逆に、封水部８２０が、ネジ機構等により固定される構成となっている場合には、封水部８２０の紛失のおそれを低減することができる。
【００３７】
以上のように、本実施の形態に係る呼吸回路用ウォータトラップは、貯水カップに排水口を有し、更に、不要水を利用して排水口に対する封水を行う封水部を有するので、貯留水の排水ための貯水カップの着脱等の作業を不要とすることができる。したがって、本実施の形態に係る呼吸回路用ウォータトラップは、人工呼吸システム１００の呼吸回路に関する管理者の負担を軽減することができ、その作業効率を大幅に向上させることができる。
【００３８】
また、本実施の形態に係る呼吸回路用ウォータトラップは、貯水カップの着脱の回数を低減することができ、更には、貯水カップの着脱ができない一体型の構成とすることが可能である。したがって、本実施の形態に係る人工呼吸器用ウォータトラップは、呼吸回路用ウォータトラップにおける着脱部分の接続不良による呼吸回路のエアー漏れが発生する可能性を低減することができ、安全性や信頼性を向上させることができる。
【００３９】
また、本発明は、従来品との大きく異なる部分は貯水カップの構造のみであるため、既存の呼吸回路用ウォータトラップを利用したり、従来の呼吸回路用ウォータトラップに対する軽微な変更により、容易に実現することができる。
【００４０】
なお、本実施の形態では、封水部をカップの内部に配置した椀トラップの封水機構を採用したが、これに限定されない。本発明に係る呼吸回路用ウォータトラップは、例えば、封水部をカップの外部に配置した、Ｓトラップ、Ｐトラップ、Ｕトラップ等の管トラップ、ドラムトラップ等、各種の封水機構を採用してもよい。
【符号の説明】
【００４１】
１００  人工呼吸システム
２００  人工呼吸器
３００  加温加湿器
４００  カテーテルマウント
５００  呼吸回路用ウォータトラップ
６００  チューブ
７００  止水弁付きコネクタ
７１０  パイプ部
７１１  流路
７１２  カップ接続部
７２０  止水弁
７２１  弁体
７２２  弁棒
７２３  ばね
８００  貯水カップ
８１０  カップ部
８１１  コネクタ接続部
８１２  排水口
８１３  排水側接続部
８１４  パイプ状部材
８２０  封水部
【図１】
0005784325.tif 000002
【図２】
0005784325.tif 000003
【図３】
0005784325.tif 000004
【図４】
0005784325.tif 000005